(57)【特許請求の範囲】
【請求項１】
本体を構成する断熱壁と、この断熱壁の前壁の上部に設けられたハンドレールと、このハンドレールの溝に立設するガラスとを設けたショーケースにおいて、
このガラスの両端に位置し、このガラスの前面の一部と前記ハンドレールの一部とを覆うガラスカバーと、このガラスカバーを固定する固定具とを設け、前記ガラスカバー、前記ハンドレールおよび前記固定具を係合させる係合孔をそれぞれ設けるとともに、前記固定具は、前記ガラスの後面下部を前後から挟持するフランジを有することを特徴とするショーケース。
【発明の詳細な説明】
【０００１】
【発明の属する技術分野】
この発明は、本体を構成する断熱壁の前壁の上方にガラスを設けたショーケースに関するものである。
【０００２】
【従来の技術】
この種のショーケースは、第１の例として、例えば、図６に示す如く、ショーケースの前壁上部に設けられたフロントガラス受け４０に設けられた溝４１にフロントガラス１０が立設され、このフロントガラス１０にネジ止め用の孔４２を穿設し、この孔４２を利用してネジ４３によりフロントガラス１０を固定する方法が採られていた。
【０００３】
また、第２の例として、例えば、図７に示す如く、ショーケースの前壁上部に設けられたフロントガラス受け４０に設けられた溝４１にフロントガラス１０が立設されている。そして、このフロントガラス１０の前方に設けられた鋼板製のハンドレール４４に、前記フロントガラス１０の前面部と上部を覆うガラスカバー２０を固定し、このガラスカバー２０をハンドレール４４にネジ止め固定することにより、フロントガラス１０を固定する方法が採られていた。
【０００４】
さらにまた、第３の例として、特開平５−３０５０１８号（Ａ４７Ｆ３／０４）公報に示される如く、ショーケースの前壁上部に設けられた接続部材の上面後部に段差部を段落形成し、この段落部にフロントガラスが立設され、押さえ板によって後方よりフロントガラスを押さえ付け、段差部の前壁とともにフロントガラスを挟持している。
【０００５】
【発明が解決しようとする課題】
しかしながら、第１の従来例では、フロントガラス１０に孔４２を穿設しなければならず、加工費用が高く、またネジ止めする際や取付け後の接触の衝撃等により、その孔４２からフロントガラスにクラックを生じ割れてしまうことがあった。
【０００６】
また、第２の従来例では、フロントガラス１０の前面部と上部とを覆うガラスカバー２０を鋼板製のハンドレール４４に固定することにより、フロントガラス１０を固定する方法であるので、ネジ止めの位置からフロントガラス１０の上部まで距離が遠く、前後に動き甚だ不安定で、顧客が購入商品を収容するバスケットをガラス上面カバー１１に載置した場合、その重量で揺らぐこともあり、取付強度上問題があった。さらに、板厚の薄いハンドレール４４に固定しているので、徐々にネジ４３の締付け強度が弱くなり、遂には外れてしまうことさえあった。
【０００７】
さらにまた、第３の従来例では、押さえ板によって後方よりフロントガラスを押さえ付け、段差部の前壁とともにフロントガラスを挟持しており、板厚の薄い内面材にネジ止めしているため、フロントガラスが所望の強度まで、外力に耐えることができなかった。すなわち、フロントガラスはその下部しか固定されておらず、押さえ板の押さえが弱い場合には、フロントガラスの上部が前後に動いてしまい、甚だ不安定であり、取付け強度上問題があった。
【０００８】
この発明はこのような問題を解決するためになされたもので、フロントガラスに穿設する孔を必要としないため割れ難くなり、さらに安定性が増し取付け強度上の問題を解消するとともに、美観を向上させることを目的とするものである。
【０００９】
【課題を解決するための手段】
この発明のショーケースは、本体を構成する断熱壁と、この断熱壁の前壁の上部に設けられたハンドレールと、このハンドレールの溝に立設するガラスとを設けたものであって、このガラスの両端に位置し、このガラスの前面の一部と前記ハンドレールの一部とを覆うガラスカバーと、このガラスカバーを固定する固定具とを設け、前記ガラスカバー、前記ハンドレールおよび前記固定具を係合させる係合孔をそれぞれ設けるとともに、前記固定具は、前記ガラスの後面下部を前後から挟持するフランジを有するものである。
【００１０】
本発明によれば、フロントガラスに孔を穿設する必要がなく割れ難く、さらに安定性を増し、取付け強度上の問題を解消するとともに、美観を向上させることができる。
【００１１】
【発明の実施の形態】
以下、本発明の実施の形態を図面に基づいて説明する。図１は本発明を適用したショーケースの斜視図、図２は本発明のショーケースの要部斜視図、図３は本発明のショーケースの要部断面図、図４はハンドレールと左右の固定具を示す斜視図を示している。尚、従来例と構成的に同一又は相当する部分には同一番号を付す。
【００１２】
図１において、上面に商品取出用の開口部２を有する本体ケース１は、断熱壁で構成される図示しない外箱と、この外箱と間隔を存して配置された仕切板３との間に冷気循環通路を形成しているとともに、仕切板３の内方に庫内４を形成している。冷気循環路は前記開口部２の後方に位置する部分に吹出口５を形成するとともに、前方に位置する部分に図示しない吸込口を形成しており、内部に送風機および冷却器等を配置して、開口部２にはエアカーテンを形成している。庫内４の底部には、図示しないワイヤラック上に、図示しない商品を載置するデッキパンを配置している。また、外箱の両側面には、内面材と外面材間にポリウレタン等の断熱材を発泡充填することにより構成された側板７が設けられている。
【００１３】
外箱の前面には、店内において使用されるカート等の台車の衝突からケース本体１を保護するために前方に張り出したバンパー８が設けられ、バンパー８の上面には、バンパー８全体を覆うとともに、吸込口の外気侵入を防止しつつ、庫内４の商品を透視できるフロントガラス１０を保持するハンドレール９が設けられている。また、フロントガラス１０の上面には、フロントガラス１０の端部の破損および顧客のけがを防止するために、フロントガラス上面カバー１１が設けられている。
【００１４】
ハンドレール９はＡＢＳ樹脂を押出し成型した後、両端を切断し、所定の取付孔９Ｂ、９Ｂを穿設したもので、ケース本体１に載置された商品の価格等を表示する図示しないプライスカードを保持するためのプライスレール部１２が設けられている。そして、このハンドレール９の下方後部には溝部９Ａが設けられ、この溝９Ａにフロントガラス１０が立設している。
【００１５】
フロントガラス１０の左右両端部と前記側板７との突合わせ部分は、ショーケースの前面部に位置し、顧客から見えやすい部分であるので、外観上美観が要求される。そこで、図２の如く、この部分にはガラスカバー２０と称される目隠しのための部材を使用し、突合わせ部分の隙間を見えなくし、外観を向上させている。このガラスカバー２０は、ＰＰ（ポリプロピレン樹脂）を射出成型により成型加工されたもので、フロントガラス１０の前面部を覆う前面部２１と、上部を覆う上面部２２と、後部の一部を覆う後面部２３と、ネジ等の取付具１３によりハンドレール９に取付けられる取付部２４とを有するものである。
【００１６】
また、フロントガラス１０の左右両端部には、板厚の厚い鋼板をプレス加工した左右対称な形状の固定具３５、３５がそれぞれ固定されている。この固定具３５、３５は、図４に示すように、その前後にフランジ部３６、３６が設けられるとともに、さらにそのフランジ部の前方にはハンドレールに設けられた係合孔９Ｂに係合する取付孔３７が設けられている。
【００１７】
以上の構成により、本発明の要部の実施例を説明する。固定具３５、３５には、フランジ部３６、３６が設けられ、このフランジ部３６、３６によりハンドレール９の溝部９Ａを形成する前後のリブ３８、３８が挟持され、したがってフロントガラス１０が挟持されている。すなわち、この固定具３５、３５は、前後のフランジ部３６、３６によりハンドレール９の溝部９Ａを前後から挟むことにより、フロントガラス１０の取付け強度を向上させている。
【００１８】
さらに、前記ガラスカバー２０にも対応する位置に係合孔２５が設けられ、ネジ等の取付具１３により板厚の厚い固定具３５、３５に固定することができるので、ガラスカバー２０の上面部２２と後面部２３とによりフロントガラス１０が強固に固定され、図５（ガラスカバー２０等は省略して示す）の如くフロントガラス１０の上部が前後に動くことがなくなり、取付け強度上の問題を解消することができる。
【００１９】
【発明の効果】
以上のように、この発明によれば、フロントガラスに穿設する孔を必要としないため割れ難くなり、さらに安定性が増し取付け強度上の問題を解消するとともに、美観を向上させることができる。
【図面の簡単な説明】
【図１】この発明の実施例を示すショーケースの斜視図である。
【図２】この発明の実施例のショーケースの要部斜視図である。
【図３】この発明の実施例のショーケースの要部断面図である。
【図４】ハンドレールと固定具を示す斜視図である。
【図５】フロントガラスの取付け強度が弱い場合を示す要部断面図である。
【図６】第１の従来例を示す要部断面図である。
【図７】第２の従来例を示す要部断面図である。
【符号の説明】
１０  フロントガラス
２０  ガラスカバー
２２  上面部
２３  後面部
２４  取付部
３５  固定具
３６  フランジ部
３８  リブ
【図１】
0003802295.tif 000002
【図２】
0003802295.tif 000003
【図３】
0003802295.tif 000004
【図４】
0003802295.tif 000005
【図５】
0003802295.tif 000006
【図６】
0003802295.tif 000007
【図７】
0003802295.tif 000008